(57)【特許請求の範囲】
【請求項１】
流入口、流出口および弁体を有する水栓本体をハウジング内に収容する一方、開閉操作を前記弁体に伝達するための伝達機構を介して前記流出口から送出可能な水の流量を調整する流量調整部材を設けるとともに、前記流入口と水を供給するための配管とを接続する接続部を設け、給水ホースの上流端に設けられた継手部材が着脱自在である継手部を前記流出口に接続してなり、更に、前記ハウジングは、底部に前記接続部と前記配管の接続を許容する大きさの接続開口および少なくとも前記水栓本体が収容可能な大きさの収容空間を有するハウジング本体と、このハウジング本体の前面開口を形成する周縁部を覆う枠体と、この枠体を介して前記前面開口を被覆するカバープレートとを備え、前記周縁部と前記枠体の間に壁、または、パネルを位置させながら、前記壁に形成された取り付け用開口、または、前記パネルに形成された取り付け用開口に設置されるように構成された水道用コンセントにおいて、前記ハウジング本体内に侵入した水または混合湯水が前記接続開口を通って前記壁の裏側または前記パネルの裏側に漏れるのを防止すべく、前記ハウジング本体内に嵌込まれた状態で、内部に少なくとも前記水栓本体が収容される防水カバーと、前記枠体および周縁部間に介装された枠状の座パッキンとを有することを特徴とする水道用コンセント。
【請求項２】
浴室の壁に設置され、浴室での人の移乗に使用される水圧式のリフトを駆動するシリンダ内に水を供給するために用いられる請求項１に記載の水道用コンセント。
【請求項３】
湯の取入口、水の取入口、混合湯水の温度を調整する部材、水または混合湯水の流路、この流路内の水または混合湯水の流量を調整するための弁体、流量調整された水または混合湯水の流出口、前記湯の取入口に連通する湯用継手および前記水の取入口に連通する水用継手を有する水栓本体をハウジング内に収容する一方、前記流出口から流出可能な混合湯水の温度を調整するための温度調整部材を設け、開閉操作を流量調整用の弁体に伝達するための伝達機構を介して温度を調整された混合湯水の流量を調整するための流量調整部材を設け、また、前記水の取入口と水を供給するための配管とを接続するとともに前記湯の取入口と湯を供給するための配管とを接続する接続部を設け、給水ホースの上流端に設けられた継手部材が着脱自在である継手部を前記流出口に接続してなり、更に、前記ハウジングは、底部に前記接続部と前記各配管の接続を許容する大きさの接続開口および少なくとも前記水栓本体および温度調整部材が収容可能な大きさの収容空間を有するハウジング本体と、このハウジング本体の前面開口を形成する周縁部を覆う枠体と、この枠体を介して前記前面開口を被覆するカバープレートとを備え、前記周縁部と前記枠体の間に壁、または、パネルを挟みながら、前記壁に形成された取り付け用開口、または、前記パネルに形成された取り付け用開口に設置されるように構成された水道用コンセントにおいて、前記ハウジング本体内に侵入した水または混合湯水が前記接続開口を通って前記壁の裏側または前記パネルの裏側に漏れるのを防止すべく、前記ハウジング本体内に嵌込まれた状態で、内部に少なくとも前記水栓本体が収容される防水カバーと、前記枠体および周縁部間に介装された枠状の座パッキンとを有することを特徴とする水道用コンセント。
【発明の詳細な説明】
【０００１】
【発明の属する技術分野】
この発明は、例えば浴室で使用される防水性能を備えた新規な水道用コンセントに関する。
【０００２】
【従来の技術】
従来この種の水道用コンセントとして、ハウジングと、このハウジング内に収容され、流入口、流出口および弁体を有する水栓本体と、流出口から送出可能な水の流量を調整するための流量調整部材と、この流量調整部材の開閉操作を弁体に伝達するための伝達機構と、流出口に固定されており、例えば洗面室に設置された洗濯機の給水ホースの上流端に設けられた継手部材が着脱自在である継手部とを備え、洗面室の内壁に形成した取り付け開口に取り付けられるよう構成されたものがある。
【０００３】
【発明が解決しようとする課題】
ところで、前記水道用コンセントでは、水栓本体の下部に設けた配管接続用の接続部と配管との接続を許容する大きさの接続開口がハウジングの底部に形成されており、前記水道用コンセントを、洗濯機が設置されている例えば洗面室や、浄水器、食器洗い機、湯沸器などの機器が設置されている台所の壁に設置する場合は問題ないが、前記水道用コンセントを、例えば浴室の壁に取り付けると、シャワ等からハウジング内に水または混合湯水が侵入し、水または混合湯水が前記接続開口を通って浴室の壁の裏側に漏れる事態が発生する。
【０００４】
この発明は上述の事柄に留意してなされたもので、その目的は、防水性能を備えた水道用コンセントを提供することである。
【０００５】
【課題を解決するための手段】
上記目的を達成するために、この発明の水道用コンセントは、流入口、流出口および弁体を有する水栓本体をハウジング内に収容する一方、開閉操作を前記弁体に伝達するための伝達機構を介して前記流出口から送出可能な水の流量を調整する流量調整部材を設けるとともに、前記流入口と水を供給するための配管とを接続する接続部を設け、給水ホースの上流端に設けられた継手部材が着脱自在である継手部を前記流出口に接続してなり、更に、前記ハウジングは、底部に前記接続部と前記配管の接続を許容する大きさの接続開口および少なくとも前記水栓本体が収容可能な大きさの収容空間を有するハウジング本体と、このハウジング本体の前面開口を形成する周縁部を覆う枠体と、この枠体を介して前記前面開口を被覆するカバープレートとを備え、前記周縁部と前記枠体の間に壁、または、パネルを位置させながら、前記壁に形成された取り付け用開口、または、前記パネルに形成された取り付け用開口に設置されるように構成された水道用コンセントにおいて、前記ハウジング本体内に侵入した水または混合湯水が前記接続開口を通って前記壁の裏側または前記パネルの裏側に漏れるのを防止すべく、前記ハウジング本体内に嵌込まれた状態で、内部に少なくとも前記水栓本体が収容される防水カバーと、前記枠体および周縁部間に介装された枠状の座パッキンとを有することを特徴とする。
【０００６】
また、この発明は別の観点から、湯の取入口、水の取入口、混合湯水の温度を調整する部材、水または混合湯水の流路、この流路内の水または混合湯水の流量を調整するための弁体、流量調整された水または混合湯水の流出口、前記湯の取入口に連通する湯用継手および前記水の取入口に連通する水用継手を有する水栓本体をハウジング内に収容する一方、前記流出口から流出可能な混合湯水の温度を調整するための温度調整部材を設け、開閉操作を流量調整用の弁体に伝達するための伝達機構を介して温度を調整された混合湯水の流量を調整するための流量調整部材を設け、また、前記水の取入口と水を供給するための配管とを接続するとともに前記湯の取入口と湯を供給するための配管とを接続する接続部を設け、給水ホースの上流端に設けられた継手部材が着脱自在である継手部を前記流出口に接続してなり、更に、前記ハウジングは、底部に前記接続部と前記各配管の接続を許容する大きさの接続開口および少なくとも前記水栓本体および温度調整部材が収容可能な大きさの収容空間を有するハウジング本体と、このハウジング本体の前面開口を形成する周縁部を覆う枠体と、この枠体を介して前記前面開口を被覆するカバープレートとを備え、前記周縁部と前記枠体の間に壁、または、パネルを挟みながら、前記壁に形成された取り付け用開口、または、前記パネルに形成された取り付け用開口に設置されるように構成された水道用コンセントにおいて、前記ハウジング本体内に侵入した水または混合湯水が前記接続開口を通って前記壁の裏側または前記パネルの裏側に漏れるのを防止すべく、前記ハウジング本体内に嵌込まれた状態で、内部に少なくとも前記水栓本体が収容される防水カバーと、前記枠体および周縁部間に介装された枠状の座パッキンとを有することを特徴とする水道用コンセントを提供する。
【０００７】
【発明の実施の形態】
以下、この発明の実施形態を、図を参照しながら説明する。
【０００８】
図１〜図１９は、この発明の一実施形態を示す。
【０００９】
図１〜図５において、１は、防水性能を備えた給水用の水道用コンセントで、浴室Ｂの壁Ｗに設けた取り付け用開口Ｈ（図１０、図１１参照）を介して設置されている。水道用コンセント１は、浴室Ｂでの人の移乗に使用される水圧式のリフト（図示せず）を駆動するシリンダ内に水を供給するために用いられる。
【００１０】
２は、水道用コンセント１のハウジングで、樹脂製である。ハウジング２は、箱状で、固定枠としてのハウジング本体３と、このハウジング本体３の矩形形状をした前面開口３ａを形成する外向き周縁部４を覆う下枠としての枠体５と、枠体５を介して前面開口３ａを被覆するカバープレート（化粧プレート）６とよりなる。カバープレート６は、平面視矩形で、開閉の表示が施された化粧板部６ａと、この化粧板部６ａから全周にわたり内側に短く折り曲げて連設された折り曲げ端部６ｅとを有する。
【００１１】
更に、前記枠体５は、前面開口３ａとほぼ同じ大きさの開口５ａを有するとともに、枠体５を周縁部４に取り付けるためのねじ７の挿通孔５ｃを四隅に有する。また、前記周縁部４は、上板部分と右板部分と左板部分よりなる正面視門型の外枠部４ａと、この外枠部４ａの内側より前方に突出形成された右枠部分および左枠部分よりなる左右一対の突出枠部４ｂとよりなるとともに、枠体４をねじ７によってハウジング本体３に固定するためのねじ孔８を突出枠部４ｂの上下に有する。
【００１２】
前記外枠部４ａは、枠体５とで最大厚みがｊ’までの壁Ｗまたはパネルを挟む機能を有し（図１６参照）、幅ｊ、厚みｔを有する。一方、前記突出枠部４ｂは、前記最大厚みｊ’とほぼ同一の突出幅を有する。そして、水道用コンセント１が設置される壁Ｗやパネルが前記厚みｊ’より小さな厚みを有するものであれば、不足分の厚みを枠状のスペーサ１０（特願２０００−１１１２０２号明細書・図面参照）で補うことができる。すなわち、例えば複数枚の前記スペーサ１０，１０を外枠部４ａと枠体５間に介在させることで対応できる。つまり、後述する配管１１が接続された接続部２５を有する水栓本体１２が収容される収容部５５を有するハウジング本体３に設けた複数の木ねじ１３用のねじ挿通穴部１４を介して壁Ｗやパネルの裏面側に位置する間柱１５にハウジング本体３が木ねじ１３で止められ（図９、図１０参照）、その後、前記取り付け用開口Ｈを介して外枠部４ａと枠体５で壁Ｗやパネルを挟む（図１６参照）とともに、枠体５をカバープレート６で覆う（図１７参照）ことにより水道用コンセント１は、壁Ｗやパネルに設置できる。なお、前記ねじ挿通穴部１４は、ハウジング本体３の収容部５５の上面部分と右側面部分と左側面部分にそれぞれ一対形成されており、図４に示す例えば前記上面部分は、平面視矩形で、背面視凸形のねじ挿通穴１４ａを有する。
【００１３】
なお、カバープレート６は、裏面に複数の爪１６を有し、この爪１６が枠体５の内端に係止するとともに、枠体５は、上辺部５ｂ、下辺部５ｃ、右辺部５ｄ、左辺部５ｅの外端に複数の突起１７を有し、この突起１７がカバープレート６の前記折り曲げ端部６ｅの内側に係止する。これにより、ねじ７によってハウジング本体３に固定された枠体５にカバープレート６を取り付けることができる。６８は、枠体５の四隅に設けたねじ挿通孔で、前記ねじ７が挿通する。そして、枠体５を介して前記前面開口３ａを被覆したカバープレート６と枠体５間にはスリット状の隙間が形成されている。
【００１４】
ハウジング本体３には、水の流入口２０、水の流出口２１、および、セラミック製の可動ディスク２２、固定ディスク２３よりなる弁体２４を有する水栓本体１２と、前記流入口２０と水を供給するための配管１１とを接続する接続部２５とが収容されている。５５は、ほぼ箱状の収容部で、水栓本体１２と接続部２５とが収容されている。そして、収容部５５の前端面から外向きに前記周縁部４が連設されている。この実施形態では、配管１１を水栓本体１２に繋ぐための継手としての接続部２５は水栓本体１２に連設されている。そして、ハウジング本体３は、底面部分２６に前記接続部２５と前記配管１１の接続を許容する大きさの接続開口２７を有する。
【００１５】
前記接続部２５は、この実施形態では水栓本体１２の下部に一体に連設されている。前記接続部２５は、水栓本体１２の下部に一体に連設されている内管３０および外管３１と、内管３０および外管３１間に形成される環状の配管挿入溝Ｍに挿入されている配管１１の外周に装着されている爪付きの割りリング３２と、袋ナット３３とよりなる。なお、接続部２５を水栓本体１２と別体に設けてもよい。
【００１６】
更に、水道用コンセント１は、流出口２１から送出可能な水の流量を調整する流量調整部材３４と、この流量調整部材３４の開閉操作を前記弁体２４に伝達するための伝達機構３５と、水圧式のリフトを駆動するシリンダ内へ水を給水する給水ホース９９（図１９参照）の上流端に設けられた継手部材９９ａが着脱自在である継手部３６とを有する。継手部３６は、前記流出口２１の中心軸のまわりに３６０°回転可能な状態で前記流出口２１に、水撃緩和用の逆止弁２１ａを介して接続されているニップル２１ｂと、ツバ２１ｃとよりなる。
【００１７】
一方、カバープレート６は流量調整部材３４および継手部３６のニップル２１ｂがそれぞれ配置される二つの開口３８，３９を中央部における上下位置に有する。前記開口３８は、正面視横長の長方形であり、前記開口３９は、正面視円形である。
【００１８】
また、前記配管１１としては、蛇腹状の鞘管（図示せず）によって保護される例えば架橋ポリブテン管または架橋ポリエチレン管などの耐久性に優れた樹脂パイプや、樹脂パイプ層にアルミニウム薄膜層が挟まれてなり鞘管が不要なように構成された樹脂パイプや、あるいは、塩ビ製の樹脂パイプなどがある。そして、これらパイプの径に応じた接続部２５が用意されている。例えば、前記架橋ポリブテン管または架橋ポリエチレン管は前記鞘管の内部に収容され、架橋ポリブテン管または架橋ポリエチレン管はこの鞘管によって配管経路上にガイドされるとともに保護されている。
【００１９】
伝達機構３５を含む流量調整部材３４の開閉操作の機構は以下の通りである。
【００２０】
流量調整部材３４は、操作爪３４ａとカイド片３４ｂと連結片３４ｃよりなる。また、伝達機構３５は、弁体２４の可動ディスク２２に嵌合係止される下面部を有する弁棒３５ａと、この弁棒３５ａに設けられ、弁棒３５ａと共に弁棒３５ａの軸心のまわりに回動する回動片３５ｂとよりなる。そして、回動片３５ｂは、連結片３４ｃに設けた一対の係止溝（図示せず）に係合する一対の係止突起３５ｅ，３５ｅを有する。
【００２１】
更に、４４，４４は、前記カバープレート６の背面の上下に設けた一対の案内レールである。この案内レール４４，４４間にカイド片３４ｂを差し込むことでカイド片３４ｂが、カバープレート６の横方向（両矢印Ｘで示す方向）に一次元移動することが可能である。案内レール４４は、カイド片３４ｂが外れないように先端に係止爪４５を有する。
【００２２】
すなわち、前記流量調整部材３４の操作爪３４ａの開閉操作が一次元操作可能に構成される。
【００２３】
これにより、ハウジング２１内の収容空間を小型化できるとともに、ハウジング本体３の壁Ｗやパネルからの前出しを小さくでき、ひいてはカバープレート６からの操作爪３４ａの前出しも小さくできて薄型の水道用コンセント１を得ることができる。
【００２４】
以下、この発明の特徴的構成について説明する。
【００２５】
５０は、樹脂製の防水カバーで、ハウジング本体３内に嵌込まれた状態で、内部に水栓本体１２および接続部２５が収容される。上述したように、ハウジング本体３の収容部５５の上面部分と右側面部分と左側面部分には、一対のねじ挿通穴１４ａがそれぞれ形成されている。そのため、これらねじ挿通穴１４ａを介して浴室Ｂの壁Ｗまたはパネルに設置されているシャワ等からハウジング本体３内に水または混合湯水が侵入し、水または混合湯水が前記接続開口２７を通って浴室Ｂの壁Ｗまたはパネルの裏側に漏れる事態が発生するが、防水カバー５０は、前記各挿通穴１４ａをハウジング本体３の内側から閉塞して前記漏れを防止する機能を有する。
【００２６】
更に、カバープレート６は、前記折り曲げ端部６ｅにおける枠体５の下辺部５ｅに対応する下辺部分６６で、かつ、この下辺部分６６の中央内側に切欠４９（図４参照）を有する。この切欠４９は、上述したカバープレート６と枠体５間に形成された前記スリット状の隙間よりも大きな形状を有し、カバープレート６と枠体５間に形成された隙間から防水カバー５０に侵入した水または混合湯水を外部に排出する排出流路を前記折り曲げ端部６ｅの前記下辺部分６６とで形成する。
【００２７】
防水カバー５０は、水栓本体１２および接続部２５が収容される箱状の収容部５２と、収容部５２の前端面から外向きに連設された周縁部５１とを有する。周縁部５１は、枠状で、ハウジング本体３の矩形形状をした前面開口３ａに対応する前面開口５０ａを形成する。また、収容部５２は、ハウジング本体３の収容部５５に内嵌可能な大きさに形成されている。更に、収容部５２は、底部分５２ａで、ハウジング本体３の底部２６に設けた接続開口２７に対応する位置に、接続部２５に接続される配管１１が挿通可能な配管挿通孔部５３を有する。５３ａは、配管挿通孔部５３に形成された配管挿通孔である。そして、この配管挿通孔５３ａは樹脂パイプ１１が内嵌可能な大きさに形成されている。したがって、樹脂パイプ１１の外周面が配管挿通孔５３ａの内面に圧接状態で当接しており、防水カバー５０に侵入した水または混合湯水が樹脂パイプ１１および配管挿通孔５３ａ間から外部へリークするのを防止できる。
【００２８】
７０は、防水カバー５０の周縁部５１の四隅に設けたねじ挿通孔で、ねじ挿通孔６８に対応する位置にあり、前記ねじ７が挿通する。セット時には、周縁部５１がハウジング本体３の周縁部４の突出枠部４ｂおよび枠体５間に挟まれる。
【００２９】
８０は、防水カバー５０よりも柔らかいゴム製で、前記枠体５およびハウジング本体３の周縁部４間に介装された枠状の座パッキンで、剥離紙が一方面に設けられており、この剥離紙をはがして壁Ｗの前面に貼付けられる。この実施形態では、座パッキン８０は、突出枠部４ｂに外嵌する形で前記枠体５の裏面に当接している防水カバー５０と、周縁部４の前面に当接している二枚のスペーサ１０との間に位置し、浴室Ｂの壁Ｗは、図３に示すように、スペーサ１０および座パッキン８０間に挟まれる。座パッキン８０を設けるのは、壁Ｗの前面の凹凸に対応するためである。防水カバー５０の周縁部５１の裏面が壁Ｗの前面に当接するよりも、周縁部５１より柔らかい座パッキン５１を壁Ｗの前面に当接させた方が壁Ｗの前面の凹凸を吸収して壁Ｗに対するスペーサ１０および座パッキン８０の圧接を強固にできるからである。
【００３０】
以下、施工手順について説明する。
図６に示すように、ハウジング本体３から水栓本体１２を取り外し、図７に示すように、壁Ｗやパネルの厚みに対応させるために二枚のスペーサ１０をハウジング本体３の周縁部４の一対の突出枠部４ｂに外嵌する。以下、図８〜図１２において便宜上スペーサ１０を省略する。
【００３１】
続いて、図８（Ａ）、図８（Ｂ）に示すように、樹脂パイプ１１をハウジング本体３内に通す。
【００３２】
続いて、図９に示すように、ハウジング本体３に設けた複数のねじ挿通穴部１４を介して壁Ｗやパネルの裏面側に位置する間柱１５にハウジング本体３が木ねじ１３で固定される。作業者は、ハウジング本体３の取り付け寸法を確認した後、図１０に示すように、浴室Ｂの壁Ｗとなるボードに型紙を使用して壁Ｗに所定の大きさの取り付け用開口Ｈを設ける。続いて、作業者は、ハウジング本体３の高さ範囲内に壁Ｗの当たり面があることを確認した後、図１１に示すように、壁Ｗを取り付ける。
【００３３】
次に、座パッキン８０の前記剥離紙をはがし、図１２に示すように、壁Ｗの前面に貼付ける。その後、図１３に示すように、樹脂パイプ１１を防水カバー５０内に通し、図１４に示すように、水栓本体１２と樹脂パイプ１１を接続し、図１５に示すように、ねじ８１を用いて水栓本体１２をハウジング本体３内に固定する。
【００３４】
続いて、図１６に示すように、用いて防水カバー５０の周縁部５１を介して枠体５をハウジング本体３の周縁部４にねじ７で固定する。
【００３５】
続いて、図１７に示すように、連結片３４ｃに設けた溝８９と回動片３５ｂとが合うようにセットする。最後に、図１８に示すように、ニップル２１ｂにツバ２１ｃを取り付ける。このようにして取り付け用開口Ｈに設置された水道用コンセント１のニップル２１ｂに、浴室Ｂでの人の移乗に使用される水圧式のリフト（図示せず）を駆動するシリンダ内に水を供給するための給水ホース９９のホース継手９９ａをニップル２１ｂに差し込むことで、給水できる。
【００３６】
なお、この実施形態では、給水用の水道用コンセント１について説明したが、この発明は、給水および給湯用の水道用コンセントにも適用できる。
【００３７】
図２０に示すように、給水および給湯用の水道用コンセント１’は、混合湯水の温度を調整する部材（以下、温度調整部材という）１０２（図２１参照）（特願２０００−７６９１２号明細書・図面参照）を有し、水道用コンセント１’のカバープレート（化粧プレート）６’は、前記温度調整部材１０２に設けた弁棒１１０に固着された温度調整用ハンドル２００の設置用開口２０１と、給水ホース９９（図１９参照）の上流端に設けられた継手部材９９ａが着脱自在である継手部３６’のニップル２１ｂ’の設置用開口２０２と、水または混合湯水の流量を調整するための流量調整用ハンドル２０３の設置用開口２０４とを下から上に向かってこの順に有する。
【００３８】
そして、給水および給湯用の水道用コンセント１’は、図３に示した給水用の水道用コンセント１における水の流入口２０に代えて、図２１に示すように、前記温度調整部材１０２に設けた湯の取入口１００と水の取入口１０１を有するとともに、図３に示した給水用の水道用コンセント１における弁２４に代えて、水または混合湯水の流量を調整するための弁体（図示せず）を図２０における継手部３６’が接続されている水栓本体１２’内に有し、更に、混合湯水の温度を調整するための温度調整用の固定弁体１０４および可動弁体１０５を前記温度調整部材１０２内に有する。また、前記水栓本体１２’は、前記湯の取入口１００に連通する湯用継手および前記水の取入口１０１に連通する水用継手を有する。
【００３９】
更に、給水および給湯用の水道用コンセント１’は、前記水または混合湯水の流量を調整するための弁体と前記温度調整部材１０２とを水または混合湯水の流路１１６（後述する）で連通するよう構成される一方、前記水道用コンセント１’には、図３に示した給水用の水道用コンセント１における水の流出口２１に代えて、流量調整された水または混合湯水の流出口３００が前記水栓本体１２’における最下流端で、継手部３６’の接続位置に設けられ、開閉操作を流量調整用の前記弁体に伝達するための伝達機構を介して温度を調整された混合湯水の流量を調整するための前記流量調整用ハンドル２０３を備えた流量調整部材が設けられ、前記水の取入口１０１と水を供給するための配管とを接続するとともに前記湯の取入口１００と湯を供給するための配管とを接続する接続部が設けられ、前記継手部３６’が前記流出口に接続されてなり、更に、水栓本体１２’および前記温度調整部材１０２をハウジング本体内に収容する一方、ハウジング本体の底部に前記接続部と前記各配管の接続を許容する大きさの接続開口が設けられ、前記ハウジング本体の前面開口を形成する周縁部を覆う枠体と、この枠体を介して前記前面開口を被覆する前記カバープレート６’とを備えている。なお、図２１において、１１０は、温度調整用ハンドル２００に固着された弁棒で、軸方向（Ａ1 方向）のまわりに回動する。１１１は、前記温度調整部材１０２の湯水混合室で、固定弁体１０４の位置よりも下流側に設けられている。１１５は、混合湯水の複数の出口である。１１６は、湯水混合室１１１から出口１１５を介して連通する混合湯水または水の流路で、前記水または混合湯水の流量を調整するための弁体を介して前記水または混合湯水の流出口に連通する。
【００４０】
【発明の効果】
この発明では、防水性能を備えた給水用の水道用コンセントと、給水および給湯用の水道用コンセントとを提供することことができ。そのため、例えば浴室の壁またはパネルに設置されているシャワ等からハウジング本体内に水または混合湯水が侵入し、水または混合湯水が接続開口を通って浴室の壁またはパネルの裏側に漏れる事態を防止できる。
【図面の簡単な説明】
【図１】この発明の一実施形態を示す正面図である。
【図２】上記実施形態において、カバープレートを取り外した状態を示す正面図である。
【図３】上記実施形態を示す構成説明図である。
【図４】上記実施形態を示す分解斜視図である。
【図５】上記実施形態を示す分解斜視図である。
【図６】上記実施形態における施工の手順の第１番目を示す分解斜視図である。
【図７】上記実施形態における施工の手順の第２番目を示す分解斜視図である。
【図８】（Ａ）は、上記実施形態における施工の手順の第３番目を示す正面図である。
（Ｂ）は、上記実施形態における施工の手順の第３番目を示す斜視図である。
【図９】上記実施形態における施工の手順の第４番目を示す斜視図である。
【図１０】上記実施形態における施工の手順の第５番目を示す斜視図である。
【図１１】上記実施形態における施工の手順の第６番目を示す斜視図である。
【図１２】上記実施形態における施工の手順の第７番目を示す斜視図である。
【図１３】上記実施形態における施工の手順の第８番目を示す斜視図である。
【図１４】上記実施形態における施工の手順の第９番目を示す斜視図である。
【図１５】上記実施形態における施工の手順の第１０番目を示す斜視図である。
【図１６】上記実施形態における施工の手順の第１１番目を示す分解斜視図である。
【図１７】上記実施形態における施工の手順の第１２番目を示す分解斜視図である。
【図１８】上記実施形態における施工の手順の第１３番目を示す斜視図である。
【図１９】上記実施形態における使用状態を示す斜視図である。
【図２０】この発明の他の実施形態を示す正面図である。
【図２１】上記他の実施形態の要部を示す構成説明図である。
【符号の説明】
１…水道用コンセント、２…ハウジング、３…ハウジング本体、３ａ…前面開口、４…周縁部、５…枠体、６…カバープレート、１１…配管、１２…水栓本体、２０…流入口、２１…流出口、２４…弁体、２５…接続部、２６…底部、２７…接続開口、３４…流量調整部材、３５…伝達機構、３６…継手部、５０…防水カバー、８０…座パッキン、９９…給水ホース、９９ａ…継手部材、Ｗ…壁、Ｈ…取り付け用開口。
【図１】
0003927448.tif 000002
【図２】
0003927448.tif 000003
【図３】
0003927448.tif 000004
【図４】
0003927448.tif 000005
【図５】
0003927448.tif 000006
【図６】
0003927448.tif 000007
【図７】
0003927448.tif 000008
【図８】
0003927448.tif 000009
【図９】
0003927448.tif 000010
【図１０】
0003927448.tif 000011
【図１１】
0003927448.tif 000012
【図１２】
0003927448.tif 000013
【図１３】
0003927448.tif 000014
【図１４】
0003927448.tif 000015
【図１５】
0003927448.tif 000016
【図１６】
0003927448.tif 000017
【図１７】
0003927448.tif 000018
【図１８】
0003927448.tif 000019
【図１９】
0003927448.tif 000020
【図２０】
0003927448.tif 000021
【図２１】
0003927448.tif 000022